(57)【要約】【課題】  本発明は、使用者が所望する色相および香りを多様に演出することができるロウソクを提供する。  【解決手段】  本発明が提案するロウソクは、上部が開放部からなる容器と、前記容器内部に収容され、芯が提供されたロウソク本体と、前記ロウソク本体の周辺を囲みながら容器内部に収容されてロウソク本体の非燃焼時には装飾部の役割を果たし、ロウソク本体の燃焼時には共に燃焼しながら視覚的な効果を発揮すると共に香りを発散する装飾燃焼材と、を含む。  【選択図】  図１
2015530438.tif 000002
【特許請求の範囲】
【請求項１】
上部が開放部からなる容器と、
前記容器内部に収容され、芯が提供されたロウソク本体と、
前記ロウソク本体の周辺を囲みながら容器内部に収容されてロウソク本体の非燃焼時には装飾部の役割を果たし、ロウソク本体の燃焼時には共に燃焼しながら視覚的な効果を発揮すると共に香りを発散する装飾燃焼材と、
を含むロウソク。
【請求項２】
前記容器は、透明または半透明に形成されることを特徴とする、請求項１に記載のロウソク。
【請求項３】
前記ロウソク本体は、容器内部に一つまたは二つ以上が提供されていることを特徴とする、請求項１に記載のロウソク。
【請求項４】
前記容器およびロウソク本体は、断面の形状が円形、三角形、四角形、多角形、ハート形、星形、月形、太陽形、人物形、植物形、動物形の中で選ばれたいずれか一つの形状からなることを特徴とする、請求項１に記載のロウソク。
【請求項５】
前記装飾燃焼材は、切れ形態からなる第１装飾燃焼材と、粒子形態からなる第２装飾燃焼材とからなることを特徴とする、請求項１に記載のロウソク。
【請求項６】
前記第１、２装飾燃焼材は、多くの色からなることを特徴とする、請求項５に記載のロウソク。
【請求項７】
前記第１、２装飾燃焼材には、香料が含有されていることを特徴とする、請求項６に記載のロウソク。
【請求項８】
前記香料は、天然香料または人工香料からなることを特徴とする、請求項７に記載のロウソク。
【請求項９】
前記第１装飾燃焼材は、直径０．５ｃｍ乃至７ｃｍ、厚さ０．２ｃｍ乃至１０ｃｍからなり、第２装飾燃焼材は、断面直径が０．１ｍｍ乃至５ｍｍの円形または楕円形からなることを特徴とする、請求項５に記載のロウソク。
【請求項１０】
前記香料は、カモミール香り、ラベンダー香り、ローズマリー香り、コリアンダー香り、ユーカリ香り、バジル香り、ベルガモット香り、虫および蚊をよけるシトロネラ香り、フィトンチッド香り、マジョラム香り、メリッサ香り、ボタニカ香料の中で選ばれたいずれか１種以上の香料からなることを特徴とする、請求項８に記載のロウソク。
【請求項１１】
前記第１装飾燃焼材は、動物、植物、昆虫、果物、事物、魚介類の形状の中で選ばれたいずれか一つ以上の形状からなることを特徴とする、請求項５に記載のロウソク。
【請求項１２】
前記装飾燃焼材の上部には、蓋が覆われたことを特徴とする、請求項１に記載のロウソク。
【請求項１３】
前記蓋は、燃焼可能に形成されることを特徴とする、請求項１２に記載のロウソク。
【請求項１４】
前記蓋は、ロウソク本体に嵌合可能に挿入ホールが形成されたことを特徴とする、請求項１２に記載のロウソク。
【請求項１５】
前記蓋には、印刷面がさらに形成されたことを特徴とする、請求項１２に記載のロウソク。
【請求項１６】
上部が開放部からなる容器と、
前記容器内部に安着し、芯が提供されたロウソク本体と、
前記ロウソク本体の周辺を囲みながら容器内部に収容されてロウソク本体の非燃焼時には装飾部の役割を果たし、ロウソク本体の燃焼時には共に燃焼しながら視覚的な効果を発揮すると共に香りを発散する装飾燃焼材と、
を含み、
前記装飾燃焼材は、長さ方向に二つ以上で分割され、それぞれの分割された装飾燃焼材は、それぞれ異なる色をなし、それぞれ異なる香料が含有されたロウソク。
【請求項１７】
芯が提供されたロウソク本体と、
前記ロウソク本体の周辺を囲みながら位置してロウソク本体の非燃焼時には装飾部の役割を果たし、ロウソク本体の燃焼時には共に燃焼しながら視覚的な効果を発揮すると共に香りを発散する装飾燃焼材と、
を含み、
前記装飾燃焼材は、長さ方向に二つ以上で分割され、それぞれの分割された装飾燃焼材は、それぞれ異なる色をなし、それぞれ異なる香料が含有されたロウソク。
【請求項１８】
上部が開放部からなり、所定の形状からなる容器を選択する段階と、
芯が提供され、所定の色と形状からなり、所定の香料が含有されたロウソク本体を選択する段階と、
前記で選択したロウソク本体を容器内部に安着する段階と、
所定の色と形状からなり、所定の香料が含有された装飾燃焼材を選択する段階と、
前記で選択した装飾燃焼材を前記容器内部に満たしてロウソク本体を固定させる段階と、
を含むロウソクの組み立て方法。
【発明の詳細な説明】
【技術分野】
【０００１】
本発明は、ロウソクに関し、より詳しくは、周囲の雰囲気に似合い、使用者の好みに合う多様な色および香りを演出することができるロウソクに関する。
【背景技術】
【０００２】
一般にロウソクはパラフィン（ｐａｒａｆｆｉｎ）などのように可燃性固体を所定の形状に成形しながらその中心部に芯を埋め込む方式で製造する。
【０００３】
このようなロウソクは、一般家庭や事業場などで停電のような非常時に照明用で使用するか、または装飾用で使用するか、または各種の宴会場およびイベント会場で雰囲気を演出するための用途などで多様に使用されている。
ロウソクの形状も円筒形、四角形、多角形のように多様に形成され、ロウソクが燃焼する時に香りが発散するようにパラフィン原料に芳香性オイルのような物質を添加したロウソクも生産されて使用されている。
このようなロウソクの先行技術として韓国実用新案登録２０−０３７１９３２号が知られているが、前記先行技術はロウソクの芯外側に沿って香料を充填してロウソクが燃焼しながら熱による燻蒸作用により香料の香りが発散するようになっている。
【０００４】
しかしながら、先行技術のロウソクは、香料が単一の香料からなり、また、ロウソクの色も単一の色相からなって消費者らの多様な好みを満足させることができないという短所がある。
そして、このようなロウソクを使用する時、ロウソクが燃焼しながらロウソクの色および香りが発散するが、従来のロウソクは単一の色と単一の香料からなることから、一つの色と一つの香りだけを感じざるを得ない。
また、このようなロウソクは、周囲の雰囲気に似合うには限界がある。例えば、春、夏、秋、冬の雰囲気に適切に似合うか、明るい場所や暗い場所の両方に似合うようにするのは単一の色のロウソクでは満足する程度の結果が得られない。
【先行技術文献】
【特許文献】
【０００５】
【特許文献１】韓国実用新案登録２０−０３７１９３２号
【発明の概要】
【発明が解決しようとする課題】
【０００６】
本発明は、前記のような従来の問題点を解決するために提案されたものであって、本発明の目的は、使用者が所望する色および香りを多様に演出することができるロウソクを提供することにある。
本発明の他の目的は、季節や場所に応じて適切に周囲の雰囲気に似合うロウソクを提供することにある。
【課題を解決するための手段】
【０００７】
本発明が提案するロウソクは、上部が開放部からなる容器と、前記容器内部に収容され、芯が提供されたロウソク本体と、前記ロウソク本体の周辺を囲みながら容器内部に収容されてロウソク本体の非燃焼時には装飾部の役割を果たし、ロウソク本体の燃焼時には共に燃焼しながら視覚的な効果を発揮すると共に香りを発散する装飾燃焼材と、を含むロウソクを提供する。
【０００８】
前記容器は、透明または半透明に形成され、前記ロウソク本体は、容器内部に一つまたは二つ以上が提供される。
【０００９】
前記容器およびロウソク本体は、断面の形状が円形、三角形、四角形、多角形、ハート形、星形、月形、太陽形、人物形、植物形、動物形の中で選ばれたいずれか一つの形状からなる。
【００１０】
前記装飾燃焼材は、切れ形態からなる第１装飾燃焼材と、粒子形態からなる第２装飾燃焼材とからなる。前記第１、２装飾燃焼材は、多くの色からなる。
【００１１】
前記第１、２装飾燃焼材には、香料が含有され、前記香料は、天然香料または人工香料からなる。前記香料は、カモミール香り、ラベンダー香り、ローズマリー香り、コリアンダー香り、ユーカリ香り、バジル香り、ベルガモット香り、虫および蚊をよけるシトロネラ香り、フィトンチッド香り、マジョラム香り、メリッサ香り、ボタニカ香料の中で選ばれたいずれか１種以上の香料からなる。
前記第１装飾燃焼材は、動物、植物、昆虫、果物、事物、魚介類の形状の中で選ばれたいずれか一つ以上の形状からなる。
【００１２】
また本発明は、上部が開放部からなる容器と、前記容器内部に安着し、芯が提供されたロウソク本体と、前記ロウソク本体の周辺を囲みながら容器内部に収容されてロウソク本体の非燃焼時には装飾部の役割を果たし、ロウソク本体の燃焼時には共に燃焼しながら視覚的な効果を発揮すると共に香りを発散する装飾燃焼材と、を含み、前記装飾燃焼材は、長さ方向に二つ以上で分割され、それぞれの分割された装飾燃焼材は、それぞれ異なる色をなし、それぞれ異なる香料が含有されたロウソクを提供する。
【発明の効果】
【００１３】
本発明に係るロウソクは、ロウソク本体の外側に多様な模様と色および香りを有する装飾燃焼材を使用者が選択して容器に満たして使用者自身の好みに合う多様なロウソクを得ることができる。
そして、装飾燃焼材はロウソクを使用する時、共に溶けて燃焼しながら多様な色および香りが互いに混ざって混在しながら発散するため、華麗な色彩感および香りを演出することができる。
そして、ロウソクを使用しない時にも、装飾燃焼材が多様な色相からなって多様な香りが発散するため、装飾的な効果を得ることができる。
このように多様な色のロウソクを作るようになると、季節の変化または周辺環境の変化に応じて適切な色相のロウソクを選択して使用することができる効果がある。
【図面の簡単な説明】
【００１４】
【図１】本発明に係るロウソクの斜視図である。
【図２】図１の縦断面図である。
【図３】本発明の実施形態に係る容器の一例を示す図面である。
【図４】本発明の実施形態に係る容器の他の一例を示す図面である。
【図５】本発明の実施形態に係る容器のさらに他の一例を示す図面である。
【図６】本発明の実施形態に係る容器のさらに他の一例を示す図面である。
【図７】本発明の実施形態に係るロウソク本体の一例を示す図面である。
【図８】本発明の実施形態に係るロウソク本体の他の一例を示す図面である。
【図９】本発明の実施形態に係るロウソク本体のさらに他の一例を示す図面である。
【図１０】本発明の実施形態に係るロウソク本体のさらに他の一例を示す図面である。
【図１１】本発明の実施形態に係るロウソク本体のさらに他の一例を示す図面である。
【図１２】本発明の実施形態に係るロウソク本体のさらに他の一例を示す図面である。
【図１３】本発明に係るロウソクにおいてロウソク本体および装飾燃焼材が多様な形態に提供されているものを説明するための例示図である。
【図１４】本発明に係るロウソクにおいてロウソク本体が複数提供されているものを説明するための斜視図である。
【図１５】本発明に係るロウソクにおいて容器に蓋が提供されているものを説明するための斜視図である。
【図１６】本発明の第２実施形態に係るロウソクを構成する装飾燃焼材の斜視図である。
【図１７】本発明の第２実施形態に係るロウソクの斜視図である。
【発明を実施するための形態】
【００１５】
以下、本発明の好適な実施形態を図面を参照してより詳しく説明する。
【００１６】
図１乃至図１４を参照すれば、本発明に係るロウソクは、上部が開放部からなる容器２と、前記容器２内部に収容され、芯４が提供されたロウソク本体６と、前記ロウソク本体６の周辺を囲みながら容器２内部に収容されてロウソク本体６の非燃焼時には装飾部の役割を果たし、ロウソク本体６の燃焼時には共に燃焼しながら視覚的な効果を発揮すると共に香りを発散する装飾燃焼材８とを含む。
【００１７】
前記容器２は、不燃性素材または難燃性素材を用いて所定の形状で製作され得るが、例えば不燃性素材としてはガラス、薄膜アルミニウムなどが用いられ、難燃性素材としては難燃プラスチックなどが用いられ得る。
このような容器２は、内部に収容されている装飾燃焼材８を容器外部でも見られるように透明または半透明に形成される。
そして、容器２は、本実施形態では断面の形状が円形からなるもので示しているが、これに限定されず、図３乃至図６に示すように三角形、四角形、六角形、ハート形などでなってもよく、その他にも断面の形状が多角形、星（ｓｔａｒ）形、月（ｍｏｏｎ）形、太陽形、人物形、植物の茎模様や花びら模様からなる植物形、動物の顔や全体形状で形成された動物形などからなることができる。
このように容器２を多様な形状に形成することができれば、ロウソクが置かれる場所に応じてそれに似合う形状を選択でき、また容器の形状に応じて室内装飾の役割も期待できる。
【００１８】
前記ロウソク本体６は、図７乃至図１２に示すように、三角形、四角形、六角形、ハート形、星（ｓｔａｒ）形、動物形などからなることができ、その他にも断面の形状が多角形、星形、月形、太陽形、人物形、植物の茎模様や花びら模様からなる植物形、動物の顔や全体形状で形成された動物形などからなることができる。
このようにロウソク本体６を多様な形状に形成することができれば、ロウソクが装飾的な役割も期待できる。
このようなロウソク本体６は、パラフィンワックス、大豆ワックス、パームワックス、蜜蝋などのようなロウソク材料を用いて中心部の長さ方向に芯４が挿入された所定の形状に成形することができる。
この時、材料に所定の色からなり人体に無害な色素などを混合してロウソク本体６は多様な色からなることができる。そのために、ロウソク本体６は多様な形状および色からなる。
【００１９】
前記装飾燃焼材８は、ロウソク本体４と同一のパラフィンワックス、大豆ワックス、パームワックス、蜜蝋などのような材料を用いて所定の大きさと形状に成形して設けることができる。
また、装飾燃焼材８の原料に人体に無害な色素および香料を添加して装飾燃焼材８は多様な色相からなると共に、多様な香料を保有することができる。
装飾燃焼材８の原料に添加可能な色素としては、例えば、ライトブラウン、ライトピンク、グリーン、紫、ライトイエロー、カーキ、青色、レッド、グレー、ブラウン、ブルー、ブラックなどの色素が添加されてもよく、このような色素により装飾燃焼材８は色素の色と同一の色を有する。
【００２０】
前記香料は、植物や動物などから抽出精製した天然香料や、化学合成により作られた人工香料などを用いることができ、このような香料を材料に配合して装飾燃焼材８を成形することができる。
装飾燃焼材８に含有させることができる香料として、例えば、不安でいらだった気分を緩和させて熟眠を助けるカモミール香り、リラックスと心身の安定に良いラベンダー香り、集中力の向上に良いローズマリー香り、神経痛症緩和に良いコリアンダー香りまたはユーカリ香り、精神を高揚させるバジル香りまたはベルガモット香り、虫および蚊をよけるシトロネラ香り、食べ物の臭いの除去に良いフィトンチッド香り、不眠症に良いマジョラム香りまたはメリッサ香り、動物の臭いの除去を助けるボタニカ香りなどからなり、これら香料の中で選ばれたいずれか１種以上の香料が装飾燃焼材８に含有される。
【００２１】
このような装飾燃焼材８は、切れ形態からなる第１装飾燃焼材１０と、粒子形態からなる第２装飾燃焼材１２とからなる。
第１、２装飾燃焼材１０、１２は、ロウソク材料に前述した多様な色素および香料を所定の比率に配合して製造でき、このような第１、２装飾燃焼材１０、１２は多様な模様と色および香りを有するようになる。
前記第１装飾燃焼材１０の大きさは、直径０．５ｃｍ乃至７ｃｍ、厚さ０．２ｃｍ乃至１０ｃｍからなることができる。
前記第１装飾燃焼材１０は、直径が０．５ｃｍ、厚さが０．２ｃｍ未満である場合、簡単に折れて製作し難いという短所があり、直径が７ｃｍ、厚さが１０ｃｍ以上である場合、大きさが過度に大きくて容器２に満たし難く、多様な形態の装飾効果を演出し難いという短所がある。
そして、第２装飾燃焼材１２は、断面直径が０．１ｍｍ乃至５ｍｍの円形または楕円形からなることができる。
前記第２装飾燃焼材１２の直径が０．１ｍｍ未満である場合、粒子が過度に小さくて装飾効果を演出し難いという短所があり、５ｍｍ以上である場合、大きさが過度に大きくて他の第１装飾燃焼材１０の切れの間で発生した空間を稠密に満たし難いという短所がある。
前記第１装飾燃焼材１０は、動物、植物、昆虫、果物、事物、魚介類の形状の中で選ばれたいずれか一つ以上の形状からなることができる。このように第１装飾燃焼材１０が多様な形状からなれば使用者が所望する形状を選択して多様な形状を有するロウソクを得ることができる。
このような第１、２装飾燃焼材１０、１２は、使用者が第１装飾燃焼材１０の模様、色、香りを選択し、第２装飾燃焼材１２の色および香りを選択してロウソク本体６の周辺を囲みながら容器２内部に満たすことができる。
前記第１装飾燃焼材１０は、切れ形態からなるため、第１装飾燃焼材１０の間に隙間ができるようになるが、このような隙間は粒子形態の第２装飾燃焼材１２で満たすことができる。
【００２２】
このように使用者の好みおよび趣向に応じて装飾燃焼材８を任意に選択することができるため、このようなロウソクは使用者個人の多様な期待を充足させ、使用者が直接ロウソクを製作する楽しみを満喫することができる。
つまり、本発明に係るロウソクは、容器２、ロウソク本体６、第１、２装飾燃焼材１０、１２を使用者が選択することができるため、ロウソクの模様、色、香りを多様に演出することができる。
このように使用者が容器２およびロウソク本体６の模様を選択してロウソク本体６を容器２内部に位置させ、その周辺に第１、２装飾燃焼材１０、１２を選択して満たせばロウソク本体６は第１、２装飾燃焼材１０、１２により固定支持される。
この時、第１、２装飾燃焼材１０、１２を同一の色および香りが発現するように形成したり、異なる色および香りに選択して形成することができる。
また、ロウソク本体６と第１装飾燃焼材１０を図１に示すように同一の模様および香りを有するように形成することもできる。
また、図１３に示すようにロウソク本体６と第１装飾燃焼材１０を異なる形状に形成しながら、第１装飾燃焼材１０を多様な形状、色、香りに選択し、これを混合して無秩序に容器２に満たし、これら第１装飾燃焼材１０の隙間の間に第２装飾燃焼材１２を満たしてロウソクを構成することもできる。
また、それぞれ異なる色と香りを有する第１装飾燃焼材１０と第２装飾燃焼材１２を所定の厚さに順次に積層して形成することもできる。
また、図１４に示すように容器２内部に間隔を維持しながらロウソク本体６を複数で形成することができ、このようにロウソク本体６が複数で形成される場合、一つで形成される時に比べて斬新な雰囲気を演出することができ、より高い照度を得ることができる。
このような容器２とロウソク本体６および第１装飾燃焼材１０の模様、色、香り、そして第２装飾燃焼材１２の色および香りを使用者が任意に選択してロウソクを使用者の好みに応じて多様に設けることができる。
このようなロウソクは、容器２内部にロウソク本体６を安着させ、その周辺に多様な色と香料が含有された第１装飾燃焼材１０および第２装飾燃焼材１２を満たせば良いが、この時、使用者が容器２およびロウソク本体６の模様および色を選択することができ、また第１、２装飾燃焼材１０、１２の模様、色およびそれに含有された香料に応じて使用者の好みに合うように選択すれば良い。
【００２３】
このようなロウソクは、自分だけのただ一つの固有の形状と香りを有するようになり、販売処でロウソクを入れる多様な容器２と数百種類の模様と色そしてそれぞれの香料が含まれている第１、２装飾燃焼材１０、１２を備えて使用者が所望するロウソクを直接製作するようにすることによって、世の中でただ一つの個性があふれる使用者が所望するロウソクを得ることができる。
【００２４】
このようなロウソクを使用する場所に備えつけると、第１、２装飾燃焼材１０、１２が多様な色相からなり、多様な香料が含有されており、容器２は透明または半透明に形成されるため、容器２外部でも第１、２装飾燃焼材１０、１２を見ることができる。
したがって、ロウソク本体６が非燃焼時には第１、２装飾燃焼材１０、１２が装飾部の役割と芳香剤の役割を果たして卓越な視覚的且つ嗅覚的効果をもたらすことができ、同時にロウソクが置かれた周囲の人に好奇心と楽しみを与えることができる。
また、芯４を点火させるとロウソク本体６が燃焼しながらその周辺の第１、２装飾燃焼材１０、１２も共に燃焼し、ロウソク本体６および第１、２装飾燃焼材１０、１２の色に応じてこれら色が互いに混ざりながら多様な色が演出され、同時にロウソク本体６および第１、２装飾燃焼材１０、１２に含有された香料もそれぞれ発散されながら互いに混ざって多様な香りが空気中に放出される。
このようなロウソクは、プレゼント用などで用いることができるが、ロウソクを運搬する時、第１、２装飾燃焼材１０、１２が容器２外部に流出することを遮断することができるように、図７に示すように、容器２内部に挿入可能な蓋１８がさらに提供され得る。
【００２５】
前記蓋１８にはロウソク本体６と同一の模様の挿入ホール２０が形成されて、蓋１８を容器２内部に覆うとロウソク本体６が挿入ホール２０に嵌合されながら蓋１８が覆われるように構成される。
蓋１８は、ロウソク本体６および第１、２装飾燃焼材１０、１２のような燃焼可能なものからなる。
また、前記蓋１８表面には印刷面２２がさらに形成されるが、この印刷面２２は、例えば、「ＭＥＲＲＹ  ＣＨＲＩＳＴＭＡＳ」、「ＨＡＰＰＹ  ＢＩＲＴＨＤＡＹ  ＴＯ  ＹＯＵ」、「Ｉ  ＬＯＶＥ  ＹＯＵ」、「ＨＡＰＰＹ  ＷＨＩＴＥ  ＤＡＹ」、「１歳のお誕生日おめでとうございます」、「還暦おめでとうございます」、「ご卒業おめでとうございます」などのような多様な祝文が印刷され得るが、この時、印刷面２２には祝いの対象者の名前をさらに表示して印刷することができる。
そのために、蓋１８は、第１、２装飾燃焼材１０、１２が容器２外部に流出することを遮断させ、ロウソクを伝達された人およびその周辺の人が印刷面２２を見ながらより大きい楽しみを与えることができる。
【００２６】
図１６、図１７は、本発明に係るロウソクの第２実施形態を説明するための図面であり、本発明の第２実施形態では、前述した実施形態と比較して異なる部分だけを説明し、同一の部分は前述のとおりである。
図示されているように、本発明の第２実施形態に係るロウソクは、装飾燃焼材１４の形状が異なるように形成される。
つまり、本発明の第２実施形態のロウソクに提供された装飾燃焼材１４は、切れおよび粒子形態からならず、長さ方向に二つ以上で分割された塊り形態からなり、中心部は空間部１６からなってロウソク本体６を囲みながら容器２内部に収容される形態で構成される。
装飾燃焼材１４の外形および空間部１６の形状は、容器２およびロウソク本体６と対応する形状で多様に形成される。
図面では装飾燃焼材１４が三つで分割され、これらのそれぞれは異なる色を有しながらそれぞれ異なる香料が含有された構造で形成される。
【００２７】
このような本発明の第２実施形態に係るロウソクは、ロウソク本体６が非燃焼時には装飾燃焼材１４が装飾部および芳香剤の役割を果たし、ロウソク本体６が燃焼時には装飾燃焼材１４も共に溶けて燃焼しながら色と模様が互いに混ざって視覚的に雰囲気を高め、装飾燃焼材１４にそれぞれ含有されていた香料も空気中に発散されてそれぞれの香りが調和して嗅覚的に雰囲気を高める。
【００２８】
以上で、本発明の好適な実施形態が例示を目的で説明されているが、これに制限されず、特許請求の範囲と発明の詳細な説明および図面の範囲内で多様に変形して実施することも可能である。
【符号の説明】
【００２９】
２…容器
４…芯
６…ロウソク本体
８…装飾燃焼材
１０…第１装飾燃焼材
１２…第２装飾燃焼材
１４…装飾燃焼材
１６…空間部
２０…挿入ホール
２２…印刷面
【図３】
2015530438.tif 000003
【図４】
2015530438.tif 000004
【図５】
2015530438.tif 000005
【図６】
2015530438.tif 000006
【図７】
2015530438.tif 000007
【図８】
2015530438.tif 000008
【図９】
2015530438.tif 000009
【図１０】
2015530438.tif 000010
【図１１】
2015530438.tif 000011
【図１２】
2015530438.tif 000012
【図１５】
2015530438.tif 000013
【図１６】
2015530438.tif 000014
【図１】
2015530438.tif 000015
【図２】
2015530438.tif 000016
【図１３】
2015530438.tif 000017
【図１４】
2015530438.tif 000018
【図１７】
2015530438.tif 000019
【国際調査報告】
2015530438.tif 000020
2015530438.tif 000021
2015530438.tif 000022
2015530438.tif 000023